(57)【要約】【課題】  劇場前売券９０のように予め割安な価格で購入することができ、しかも座席予約できる劇場前売券および前売券座席予約システムを提供する。【解決手段】  座席予約付き前売券１には、前売券ＩＤ番号１３およびスクラッチ（ＰＩＮコード）１５が印刷されており、座席予約発券システム１００の管理サーバ５１の座席予約手段５３は、顧客端末３１からのアクセスを受け、前売券ＩＤ番号１３およびＰＩＮコード１５を管理データベース５７の前売券データ５７１を検索することにより特定し、鑑賞する劇場、日時等の選択画面を顧客端末３１に提示し、座席予約処理を行い、予約番号７１１を決定させる。鑑賞当日には、劇場の窓口端末４３または劇場端末４５からのアクセスを受け、管理サーバ５１の入場券発券手段５５により、予約番号７１１に対応する座席指定付きの入場券３を発券する。【選択図】  図３
2010152461.tif 000002
【特許請求の範囲】
【請求項１】
本券部と、切り離し可能な半券部を有する映画の入場前売券であって、
少なくとも前記半券部に、前記入場前売券を特定し、座席予約を可能とする識別子と、
スクラッチ隠蔽層で隠蔽され、不正使用を防止するＰＩＮコードと、
が印刷されていることを特徴とする入場前売券。
【請求項２】
前記識別子は、少なくとも、実施される興行の識別子、および、発行前売券通し番号で構成されることを特徴とする請求項１記載の入場前売券。
【請求項３】
利用者端末と、ネットワークを介して利用者端末と接続されたサーバで構成され、映画の入場前売券の座席予約を行う前売券座席予約システムであって、
前記入場前売券は、前記入場前売券を特定可能な識別子と、スクラッチ隠蔽層で隠蔽され、不正使用を防止するＰＩＮコードを有し、
前記サーバは、前記入場前売券の対象となる劇場の情報と、前記入場前売券の識別子とＰＩＮコードからなる前売券情報を格納する記憶手段と、
前記利用者端末からネットワークを介して送信される前記入場前売券の前記識別子および前記ＰＩＮコードを受信し、前記記憶手段に格納されている前記識別子で特定される前記入場前売券の対象となる前記劇場の情報を前記利用者端末に送信し、前記利用者端末から送信される座席予約要求情報に従い予約座席を確定し、前記記憶手段に、前記予約座席の情報を格納する座席予約手段と、
を有することを特徴とする前売券座席予約システム。
【請求項４】
前記識別子は、少なくとも、実施される興行の識別子、および、発行前売券通し番号で構成されることを特徴とする請求項３記載の前売券座席予約システム。
【請求項５】
前記劇場の情報は、少なくとも、前記興行を実施する劇場の識別子、および、上映日時、および、座席の配置情報、および、空席情報であることを特徴とする請求項３または４記載の前売券座席予約システム。
【請求項６】
前記座席予約要求情報は、少なくとも、劇場の識別子、上映日時であることを特徴とする請求項３乃至請求項５のいずれかに記載の前売券座席予約システム。
【請求項７】
前記座席予約手段は、前記予約座席の確定後に、予約番号を決定し、前記記憶手段に、前記予約座席の情報とともに格納することを特徴とする請求項３乃至請求項６のいずれかに記載の前売券座席予約システム。
【請求項８】
ネットワークを介して前記サーバと接続された劇場端末を更に有し、
前記劇場端末は、入力された前記予約番号を、前記ネットワークを介して前記サーバに送信し、
前記サーバは、前記記憶手段を検索し、受信した前記予約番号に対応する前記予約座席情報を抽出して、前記ネットワークを介して前記劇場端末に送信し、
前記劇場端末は、受信した前記予約座席情報を入場券に印刷して発券することを特徴とする請求項３乃至請求項７のいずれかに記載の前売券座席予約システム。
【請求項９】
利用者端末および劇場端末とネットワークを介して接続されたサーバであって、
入場前売券の対象となる劇場の情報と、前記入場前売券の識別子とＰＩＮコードからなる前売券情報を格納する記憶手段と、
前記利用者端末からネットワークを介して送信される前記入場前売券の前記識別子および前記ＰＩＮコードを受信し、前記記憶手段に格納されている前記識別子で特定される前記入場前売券の対象となる前記劇場の情報を前記利用者端末に送信し、前記利用者端末から送信される座席予約要求情報に従い予約座席を確定し、予約番号を決定して、前記記憶手段に、前記予約座席の情報および予約番号を格納する座席予約手段と、
を有することを特徴とするサーバ。
【請求項１０】
前記識別子は、少なくとも、実施される興行の識別子、および、発行前売券通し番号で構成されることを特徴とする請求項９記載のサーバ。
【請求項１１】
前記劇場の情報は、少なくとも、前記興行を実施する劇場の識別子、および、上映日時、および、座席の配置情報、および、空席情報であることを特徴とする請求項９または請求項１０記載のサーバ。
【請求項１２】
前記座席予約要求情報は、少なくとも、劇場の識別子、上映日時であることを特徴とする請求項９乃至請求項１１のいずれかに記載のサーバ。
【請求項１３】
ネットワークを介して、更に劇場端末に接続され、
前記劇場端末から送信される前記予約番号を元に、前記座席予約手段により予約され、前記記憶手段に格納されている前記予約座席の情報を検索し、前記劇場端末から座席指定された入場券を発券させる入場券発券手段と、
を有することを特徴とする請求項９乃至請求項１２のいずれかに記載のサーバ。
【請求項１４】
コンピュータを、請求項９乃至請求項１３のいずれかに記載のサーバとして機能させることを特徴とするプログラム。
【発明の詳細な説明】
【技術分野】
【０００１】
本発明は、映画の入場前売券、および、入場前売券に対する座席予約を可能にする前売券座席予約システムに関する。
【背景技術】
【０００２】
従来、映画の鑑賞券には、図１２に示すような劇場前売券９０および当日券がある。
劇場前売券９０は、図１３に示すように、映画上映開始の数ヶ月前から販売される割安な券であり、劇場窓口等で販売される。図１２に示すように、劇場前売券９０はミシン目９３により半券９１が切り取れるようになっており、利用者は鑑賞当日に劇場窓口に持って行き、半券９１と引き換えに入場券を得る。座席指定が行われる劇場では、この入場券に座席番号が印刷されている。
また、劇場前売券９０の他に当日券がある。劇場前売券９０を予め購入していない利用者は、鑑賞当日に劇場窓口に行き、当日券（または入場券）を購入する。座席指定が行われる劇場では、この当日券（または入場券）に座席番号が印刷されている。
【０００３】
近年、映画館の座席予約券をインターネットを介して販売するシステムが提案され（特許文献１）、実用化されている。
このシステムは、利用者がパーソナルコンピューターや携帯電話からネットワークを介して予約センターに接続し、鑑賞する映画や劇場、日時を選択して座席予約を行い、鑑賞当日、利用者が映画館で予約者識別番号を提示することにより、座席指定された入場券を得るものである。
【特許文献１】特開２００２−２４４６５号公報
【発明の開示】
【発明が解決しようとする課題】
【０００４】
しかしながら、上記のシステムでは、通常、上映開始の２日前からしか購入できないという問題がある。また、図１３に示すように、このシステムで販売される鑑賞券は当日券扱いであり、割高であるという問題もある。さらに、上記システムでは、鑑賞券購入の決済はクレジットカードで行われるため、クレジットカードを所有していない客、例えば中学生や高校生等は利用できないという問題がある。
【０００５】
本発明は、このような課題に鑑みてなされたもので、その目的とするところは、劇場前売券９０のように予め割安な価格で購入することができ、しかも座席予約できる劇場前売券および前売券座席予約システムを提供することである。
【課題を解決するための手段】
【０００６】
前述した課題を解決するための第１の発明は、本券部と、切り離し可能な半券部を有する映画の入場前売券であって、少なくとも前記半券部に、前記入場前売券を特定し、座席予約を可能とする識別子と、スクラッチ隠蔽層で隠蔽され、不正使用を防止するＰＩＮコードと、が印刷されていることを特徴とする入場前売券である。
また、前記識別子は、少なくとも、実施される興行の識別子、および、発行前売券通し番号で構成される。
【０００７】
本発明の入場前売券は、従来の劇場前売券と同様に、映画上映開始の数ヶ月前から劇場窓口等で割安な価格で販売され、映画上映前に印刷されている識別子、ＰＩＮコードにより、入場前売券を特定可能とし、遠隔からの座席予約を可能にするものである。
ＰＩＮコードをスクラッチ隠蔽層で隠蔽することにより、一度スクラッチ隠蔽層が削り取られた入場前売券は、既に座席予約が行なわれたと判断することにより、劇場窓口で複数回不正に座席指定付きの入場券を発券しないようにすることが可能である。
【０００８】
第２の発明は、利用者端末と、ネットワークを介して利用者端末と接続されたサーバで構成され、映画の入場前売券の座席予約を行う前売券座席予約システムであって、前記入場前売券は、前記入場前売券を特定可能な識別子と、スクラッチ隠蔽層で隠蔽され、不正使用を防止するＰＩＮコードを有し、前記サーバは、前記入場前売券の対象となる劇場の情報と、前記入場前売券の識別子とＰＩＮコードからなる前売券情報を格納する記憶手段と、前記利用者端末からネットワークを介して送信される前記入場前売券の前記識別子および前記ＰＩＮコードを受信し、前記記憶手段に格納されている前記識別子で特定される前記入場前売券の対象となる前記劇場の情報を前記利用者端末に送信し、前記利用者端末から送信される座席予約要求情報に従い予約座席を確定し、前記記憶手段に、前記予約座席の情報を格納する座席予約手段と、を有することを特徴とする前売券座席予約システムである。
前記識別子は、少なくとも、実施される興行の識別子、および、発行前売券通し番号で構成される。また、前記劇場の情報は、少なくとも、前記興行を実施する劇場の識別子、および、上映日時、および、座席の配置情報、および、空席情報である。さらに、前記座席予約要求情報は、少なくとも、劇場の識別子、上映日時である。
【０００９】
上記の構成により、利用者が利用者端末からネットワークを介してサーバにアクセスし、識別子およびＰＩＮコードを利用者端末からサーバに送ることにより、サーバは、座席予約手段により、識別子を受信し、その識別子から興行を識別し、記憶手段から、興行が実施される劇場や上映日時、座席の配置情報、空席情報等を抽出して利用者端末に送り、利用者に座席予約要求情報を入力させ、予約座席を確定する。
【００１０】
更に、前記座席予約手段は、前記予約座席の確定後に、予約番号を決定し、前記記憶手段に、前記予約座席の情報とともに格納する。
また、ネットワークを介して前記サーバと接続された劇場端末を有し、前記劇場端末は、入力された前記予約番号を、前記ネットワークを介して前記サーバに送信し、前記サーバは、前記記憶手段を検索し、受信した前記予約番号に対応する前記予約座席情報を抽出して、前記ネットワークを介して前記劇場端末に送信し、前記劇場端末は、受信した前記予約座席情報を入場券に印刷して発券する。
以上の構成により、利用者端末から座席予約処理を行った後、予約番号を決定しておき、利用者が鑑賞当日、予約番号と引き換えに、劇場端末から座席指定された入場券を受け取ることが可能になる。
【００１１】
第３の発明は、利用者端末および劇場端末とネットワークを介して接続されたサーバであって、入場前売券の対象となる劇場の情報と、前記入場前売券の識別子とＰＩＮコードからなる前売券情報を格納する記憶手段と、前記利用者端末からネットワークを介して送信される前記入場前売券の前記識別子および前記ＰＩＮコードを受信し、前記記憶手段に格納されている前記識別子で特定される前記入場前売券の対象となる前記劇場の情報を前記利用者端末に送信し、前記利用者端末から送信される座席予約要求情報に従い予約座席を確定し、予約番号を決定して、前記記憶手段に、前記予約座席の情報および予約番号を格納する座席予約手段と、前記劇場端末からネットワークを介して送信される前記予約番号を元に、前記座席予約手段により予約され、前記記憶手段に格納されている前記予約座席の情報を検索し、前記劇場端末から座席指定された入場券を発券させる入場券発券手段と、を有することを特徴とするサーバである。
第４の発明は、コンピュータを、請求項９記載のサーバとして機能させることを特徴とするプログラムである。
【発明の効果】
【００１２】
本発明によれば、利用者は割安な劇場前売券を予め購入しておき、鑑賞前に利用者端末から座席予約をすることが可能になる。
【発明を実施するための最良の形態】
【００１３】
以下、図面に基づいて本発明の好適な実施形態について詳細に説明する。
図１は、本実施の形態の座席予約付き前売券１を示す図である。
図１（ａ）は、本実施の形態の座席予約付き前売券１の外観図、図１（ｂ）は、図１（ａ）のスクラッチ１５部分の断面図、図１（ｃ）は、前売券ＩＤ番号の例を示す図、図１（ｄ）は、スクラッチ１５部分の説明図である。      
【００１４】
図１（ａ）に示すように、座席予約付き前売券１は、本券１９と半券１０の部分から成り、半券１０を本券１９から切り離すためのミシン目１１が設けられている。
本券１９には、例えば、映画の題名、および、映画のイメージ図、券名（例えば「前売＋リザーブ券」、「座席予約付き劇場前売券」等）、価格（例えば１４００円）等が印刷される。
【００１５】
一方、半券１０には、映画の題名、価格の他、座席予約に必要ないくつかの項目が印刷される。すなわち、前売券ＩＤ番号１３、スクラッチ１５（ＰＩＮコード）である。また、座席予約をするときに利用者が携帯電話やパーソナルコンピューターからアクセスするためのアドレス（座席予約用ホームページ・アドレス１７、ホームページ・アドレス２次元コード１９）等も印刷される。
利用者は、印刷されているアドレス（座席予約用ホームページ・アドレス１７やホームページ・アドレス２次元コード１９のアドレス）にアクセスし、前売券ＩＤ番号１３やＰＩＮコード１５を入力することにより、映画鑑賞のための座席を予約することが可能になる。
【００１６】
図１（ｂ）は、図１（ａ）に示した座席予約付き前売券１のスクラッチ（ＰＩＮコード）１５部分の断面図である。用紙２１上にはアドレス１７、１９、前売券ＩＤ番号１３等の情報の印刷層である情報印刷層２３、２３’が設けられる。そして、ＰＩＮコード１５のような隠蔽を要する情報印刷層２３’がスクラッチ隠蔽層２５によって隠蔽される。
スクラッチ隠蔽層２５は、コイン等で引っ掻いて除去する（スクラッチオフ）することができるスクラッチ性（剥離性）を有するインキ（スクラッチ）によるベタ印刷が情報印刷層２３上に施される。
本実施の形態の座席予約付き前売券１の場合、ＰＩＮコード１５（例えば、４桁の数字‘ａａａａ’）がスクラッチ隠蔽層２５で隠蔽され、ＰＩＮコード１５は、利用者がスクラッチを除去することにより初めて認知することが可能である。
【００１７】
図１（ｃ）は、半券１０上に印刷されている前売券ＩＤ番号１３の構成例を示す図である。例えば１６桁の英数字で構成される。
例えば、最初の５桁‘ｘｘｘｘｘ’は興行企業を示す企業ＩＤ１３１、次の２桁‘ｙｙ’は上映される作品の作品ＩＤ１３３、次の７桁‘ｚｚｚｚｚｚｚ’は販売される座席予約付き前売券１の券の識別番号１３５、最後の２桁‘ｃｃ’はチェック・ディジット１３７である。
券の識別番号１３５は、印刷される全座席予約付き前売券１の通し番号であり、７桁あれば最大１０００万枚分の座席予約付き前売券１を特定できる。
また、チェック・ディジット１３７は、利用者等が前売券ＩＤ番号１３を入力した場合に、入力の間違いをチェックするのに使われる。
【００１８】
図１（ｄ）は、スクラッチ１５部分の説明図である。利用者等は、座席予約の際にこのスクラッチ隠蔽層２５をコイン等で剥がし、その下の情報印刷層２３の情報（ＰＩＮコード‘ａａａａ’）１５’を読み、前売券ＩＤ番号１３とともに入力して、座席予約処理を行う。座席予約処理については後述する。
ＰＩＮコードをスクラッチ隠蔽層２５で隠蔽することにより、一度スクラッチ隠蔽層を剥がした座席予約付き前売券１は、既に座席予約が完了しているものと見なし、例えば、劇場窓口等での再度の不正な座席予約を防止することができる。
【００１９】
このような座席予約付き前売券１を設けることにより、図２に示すように、例えば、従来の劇場前売券（図１２、図１３参照）と同様に、劇場窓口等で上映期間の数ヶ月前から割安な価格（当日券が１８００円のところ、例えば、座席予約付き前売券１は１４００円）で購入でき、しかも、上映開始の例えば２日前から劇場窓口に出向くことなく座席予約を行うことが可能になる。
また、従来のインターネットによる座席指定当日券では、会員登録やクレジット決済が必要であるが、本実施の形態の座席予約付き前売券１によれば、会員登録およびクレジット決済なしで、座席予約を行うことが可能になる。
【００２０】
図３は、前述の座席予約付き前売券１を使用する座席予約発券システム１００のシステム構成図である。
図３（ａ）に示すように、座席予約付き前売券１は、顧客３０により、例えば、映画館４０の窓口４１等で購入される。
【００２１】
顧客３０は、パーソナルコンピューターや携帯電話等の顧客端末３１を使用して、図３（ｂ）に示すように、座席予約を行う。
すなわち、顧客端末３１は、ネットワーク６０を介して管理センタ５０の管理サーバ５１に接続されている。ネットワーク６０は、インターネット、携帯電話を含む一般公衆回線網あるいは専用回線網等のネットワークであって、インターネット接続サービスを提供する。
管理サーバ５１は、座席予約手段５３を有し、顧客端末３１とネットワーク６０を介してデータ送受信を行い、顧客３０に座席予約機能を提供する。
座席予約手段５３については後述する。
【００２２】
更に、座席予約を行った顧客３０は、図３（ｃ）に示すように、例えば映画鑑賞の当日、映画館４０の窓口端末４３または劇場端末４５で座席指定された入場券３を受け取る。
すなわち、映画館４０の窓口端末４３および劇場端末４５は、ネットワーク６０を介して管理センタ５０の管理サーバ５１に接続されている。
管理サーバ５１は、入場券発券手段５５を有し、窓口端末４３または劇場端末４５とネットワーク６０を介してデータ送受信を行い、入場券３の発券機能を提供する。
入場券発券手段５５については後述する。
【００２３】
管理センタ５０の管理サーバ５１には、管理データベース５７が接続されている。
管理データベース５７には、前売券データ５７１、上映データ５７３、座席データ５７５等が格納される。
管理データベース５７については後述する。
【００２４】
図４は、管理サーバ５１のハードウエア構成図である。
サーバ５１は、管理センタ５０等に設置されており、映画館４０で上映される映画の座席予約処理および入場券の発券処理を管理する。
【００２５】
サーバ５１は、例えば、ＣＰＵ２０１、メモリ２０３、記憶部２０４、表示部２０５、入力部２０６、出力部２０７、通信部２０８がシステムバス２０９を介して接続されて構成される。
【００２６】
ＣＰＵ２０１（Ｃｅｎｔｒａｌ  Ｐｒｏｃｅｓｓｉｎｇ  Ｕｎｉｔ）は、演算装置（四則演算や比較演算等）や、ハードウエアやソフトウエアの動作制御を行なう装置である。
【００２７】
メモリ２０３は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部２０４から読み出されたＯＳ（Ｏｐｅｒａｔｉｎｇ  Ｓｙｓｔｅｍ）のプログラム、アプリケーションプログラム等を記憶する。ＲＡＭはＣＰＵ２０１の主メモリやワークエリアとして機能する。
【００２８】
記憶部２０４は、各種データを記憶する装置であり、例えばハードディスク装置である。記憶部２０４には、ＣＰＵ２０１が実行するプログラム、プログラム実行に必要なデータ、ＯＳ等が格納される。また、管理データベース５７はサーバ５１の外部に接続されてもよいし、記憶部２０４内に設けてもよい。
前述の座席予約手段５３および入場券発券手段５５は、プログラムとして記憶部２０４に格納され、メモリ２０３のＲＡＭ（主メモリ）にロードされ、ＣＰＵ２０１により実行される。
【００２９】
表示部２０５は、表示装置であり、例えば、ＣＲＴモニタ、液晶パネルである。表示部２０５は、コンピュータのビデオ機能を実現するための論理回路（ビデオアダプタ等）を有する。
【００３０】
入力部２０６は、各種データの入力装置であり、例えば、キーボード、マウス等である。出力部２０７は、各種データの出力装置であり、例えばプリンタである。各種メディアとのデータ入出力を行なうドライブ装置を入力部２０６及び出力部２０７として用いることもできる。
【００３１】
通信部２０８は、ネットワーク６０を介して外部装置と接続・通信する通信制御装置である。例えば、ＴＣＰ／ＩＰを用いたインターネット通信が可能である。管理サーバ５１は、この通信部６０により、ネットワーク６０を介して、顧客３０の顧客端末３１、および、映画館４０の窓口端末４３および劇場端末４５と接続される。
システムバス２０９は、各装置間の制御信号、データ信号等の授受を媒介する経路である。
【００３２】
顧客端末３１および映画館４０の窓口端末４３、劇場端末４５のハードウエア構成は詳述しないが、図４に示したサーバ５１のハードウエア構成と同様のパーソナルコンピューター等のコンピュータや携帯電話等で構成できる。携帯電話のばあいは、プリンタ等の出力部２０７を装備しない場合もある。
【００３３】
図５、図６、図７は、それぞれ、管理センタ５０の管理データベース５７に格納される前売券データ５７１、上映データ５７３、座席データ５７５の構成例である。
【００３４】
図５に示すように、例えば、前売券データ５７１は、販売される全座席予約付き前売券１についての前売り券ＩＤ１３、ＰＩＮコード１５に加え、顧客３０が顧客端末３１からネットワーク６０を介して管理サーバ５１にアクセスして行う座席予約に関する座席予約情報７０および決済情報８０等で構成され、管理データベース５７に格納される。
座席予約付き前売券１の前売券ＩＤ１３とＰＩＮコードは、予め、管理データベース５７の前売券データ５７１に格納される。前売券ＩＤ１３は、例えば、興行企業の企業ＩＤ１３１、興行作品の作品ＩＤ１３３、券の識別番号１３５、チェック・ディジット１３７からなる。また、ＰＩＮコード１５は、各座席予約付き前売券１に印刷され、スクラッチ隠蔽層２５で隠蔽されているコードが格納されている。
【００３５】
一方、座席予約情報７０は、顧客３０により座席予約が実行された際に、管理サーバ５１の座席予約手段５３の処理により格納される。従って、座席予約が行われていない座席予約付き前売券１（例えば、図５の券の識別番号‘００００００１’）については、座席予約情報７０は格納されず、空白のままである。
座席予約情報７０は、例えば、顧客３０が座席予約を行った日時（予約日時）７０１、座席が予約された劇場の劇場ＩＤ７０３、上映日時７０５、劇場内に複数のスクリーンがある場合のスクリーンＩＤ７０７、座席番号７０７、予約番号７１１等である。予約番号７１１は、実際に座席が指定された入場券３を発券する際に、顧客３０を識別するための番号であり、例えば、顧客３０の電話番号等を予約番号７１１として設定する。予約番号７１１は、顧客３０が決定した何らかの番号であってもよい。
【００３６】
決済情報８０は、座席予約付き前売券１が座席予約されたか否かを示すデータであり、例えば、座席予約が行われていない状態では前売券の料金である１４００円が格納され、座席予約が完了すると、０円に更新される。これは、座席予約付き前売券１をプリペイドカードとした場合の方法である。すなわち、顧客３０は、映画鑑賞のプリペイドカードとして座席予約付き前売券１を購入するので、前売券１には１４００円の価値があり、座席予約が完了すると、既に使用されたとして前売券１の価値は０円とし、その情報を決済情報８０として前売券データ５７１に格納する。
決済情報８０は、これに限ることなく、座席予約が行われたか否かを判別できるデータであればよい。
【００３７】
図６は、管理データベース５７に格納される上映データ５７３の構成例である。
上映データ５７３は、例えば、座席予約付き前売券１の作品（作品ＩＤ１３３）が上映される劇場の情報（劇場ＩＤ７０３）や、映画館内に複数のスクリーンがある場合にスクリーンを識別するためのスクリーンＩＤ７０７、その作品の上映期間７２１、上映時刻７２３等である。
【００３８】
図７は、管理データベース５７に格納される座席データ５７５の構成例である。
座席データ５７５は、各劇場の各スクリーンの全座席について、各上映日、各上映時間の空席/予約済みの情報が格納される。
すなわち、座席データ５７５は、例えば、劇場ＩＤ７０３、スクリーンＩＤ７０７、座席７３１、空席情報７３３等からなる。
例えば、劇場ＩＤ７０３が‘Ａ’のスクリーンＩＤ‘１’の座席は‘右’エリアと‘左’エリアがあり、それぞれ、座席番号‘Ａ１’〜‘Ｏ２５’の座席がある。そして、座席予約可能な８月３日〜８月５日までの各座席の空席情報がそれぞれ格納されている。
【００３９】
図８は、座席予約手段５３の処理の流れを示すフローチャート、図９は、座席予約手段５３の処理に伴い、顧客端末３１に表示される画面の例である。
顧客３０は、パーソナルコンピューター、携帯電話等の顧客端末３１から、座席予約付き前売券１の半券１０上に印刷されている座席予約用ホームページ・アドレス１７にネットワーク６０を介してアクセスする。携帯電話の場合、ホームページ・アドレス２次元コード１９を携帯電話の読み取り機能により読み取ることによりアクセスされる。
【００４０】
まず、管理サーバ５１は、顧客端末３１からのアクセスを受け、ネットワーク６０を介して処理選択画面を顧客端末３１に送り、顧客端末３１の表示部２０５に表示させる（ステップ１０１）。図９（ａ）の画面例１（３０１）は処理選択画面の例である。
例えば、座席予約付き前売券１を持っている場合には「座席予約付き前売券の座席をインターネットで予約する」を選択すればよい。「チケットをインターネットで購入する」は、座席予約付き前売券１を持っていない場合に、当日券をクレジット決済で購入する場合に選択される。
選択結果は、ネットワーク６０を介して管理サーバ５１に送信される。
【００４１】
次に、管理サーバ５１は、選択結果が座席予約付き前売券１の座席予約か否かを判定する（ステップ１０２）。
座席予約付き前売券１の座席予約でない場合（ステップ１０２のＮｏ）、すなわち、例えば、図９（ａ）の「チケットをインターネットで購入する」が選択されていた場合には、その他の処理に移行して（ステップ１２０）、処理を終了する。この場合、管理サーバ５１は、チケットのインターネット購入の手段を更に有し、当該手段により、処理が行われるが、本実施の形態の座席予約発券システム１００には直接関与しないので、本明細書には記述しない。
【００４２】
一方、座席予約付き前売券１の座席予約が選択された場合（ステップ１０２のＹｅｓ）、顧客３０に座席予約付き前売券１の前売券ＩＤ番号１３およびＰＩＮコード１５の入力画面をネットワーク６０を介して顧客端末３１に送り、顧客端末３１の表示部２０５に表示させ、顧客３０に入力させる（ステップ１０３）。
図９（ｂ）の画面例２（３０２）は、入力画面の例である。
顧客３０は、この入力画面の指示に従って、座席予約付き前売券１に印刷されている１６桁の前売券ＩＤ番号１３（例えば、‘ｘｘｘｘｘｙｙ００００３ｃｃ’）を入力し、さらに、ＰＩＮコード１５部分のスクラッチ隠蔽層２５をコイン等で剥ぎ取って、ＰＩＮコード１５（例えば、‘１６８２’）を入力する。
入力データは、ネットワーク６０を介して管理サーバ５１に送信される。
【００４３】
管理サーバ５１は、前売券ＩＤ番号１３およびＰＩＮコード１５の入力データを受信し、管理データベース５７の前売券データ５７１を検索する（ステップ１０４）。
【００４４】
管理データベース５７の前売券データ５７１に入力された前売券ＩＤ番号１３とＰＩＮコード１５が存在しない場合（ステップ１０５のＮｏ）、すなわち、入力された前売券ＩＤ番号１３（例えば、‘ｘｘｘｘｘｙｙ００００３ｃｃ’）が前売券データ５７１に存在しない、または、前売券ＩＤ番号１３（例えば、‘ｘｘｘｘｘｙｙ００００３ｃｃ’）は存在するが入力されたＰＩＮコード１５（例えば、‘１６８２’）が前売券データ５７１に格納されているＰＩＮコード１５とは異なる場合、顧客端末３１に再度入力を要求する画面（例えば、図９（ｃ）の画面例３（３０３））を送信し、顧客端末３１の表示部２０５に表示させ、前売券ＩＤ番号１３およびＰＩＮコード１５を再入力させる（ステップ１３０）。
【００４５】
そして、管理サーバ５１は、再度、前売券ＩＤ番号１３およびＰＩＮコード１５の入力データを受信し、管理データベース５７の前売券データ５７１を検索し、同一の前売券データ５７１が存在するかを判定する（ステップ１３１）。
同一の前売券データ５７１が存在しない場合（ステップ１３１のＮｏ）は、入力が適切ではないと判断して処理を終了する。
【００４６】
一方、ステップ１０５で同一の前売券データ５７１が存在した場合（ステップ１０５のＹｅｓ）および再度の入力により同一の前売券データ５７１が存在した場合（ステップ１３１のＹｅｓ）には、管理サーバ５１は、顧客端末３１に、劇場および上映日時を送信し、顧客端末３１の表示部２０５に表示させ、さらに、選択された劇場および上映日時のスクリーンについての座席の情報を表示し、座席を選択させる（ステップ１０６）。
【００４７】
すなわち、管理サーバ５１は、まず、入力された前売券ＩＤ番号１３に含まれる企業ＩＤ１３１（‘ｘｘｘｘｘ’）または/および作品ＩＤ１３３（‘ｙｙ’）を元に上映データ５７３を検索し、当該作品を上映予定で、座席予約を行える劇場（劇場ＩＤ：‘Ａ’、‘Ｂ’、・・・、‘Ｄ’）を抽出し、図９（ｄ）の画面例４（３０４）に示すように、劇場および座席予約日を選択させる画面をネットワーク６０を介して顧客端末３１に送り、顧客端末３１の表示部２０５に表示させる。
顧客３０が顧客端末３１に表示された選択画面３０４から劇場（例えば、池袋）と座席予約日（例えば８月４日（月））を選択すると、選択内容がデータとしてネットワーク６０を介して管理サーバ５１に送信される。
【００４８】
管理サーバ５１は、座席予約を行う劇場と予約日の選択データを受信し、管理データベース５７の上映データ５７３から当該劇場ＩＤ７０３（例えば、劇場ＩＤ‘Ｂ’の上映時刻７２３を抽出して、上映時刻の選択画面（例えば、図９（ｅ）の画面例５（３０５））をネットワーク６０を介して顧客端末３１に送り、顧客３０に座席予約を行う回の上映時刻を選択させる。
顧客３０が顧客端末３１に表示された選択画面３０５から上映時刻（例えば、１０：００〜１２：００）を選択すると、選択内容がデータとしてネットワーク６０を介して管理サーバ５１に送信される。
【００４９】
管理サーバ５１は、上映時刻の選択データを受信し、次に、管理データベース５７の座席データ５７５を検索し、選択された劇場ＩＤ７０３（およびスクリーンＩＤ７０７）の座席情報７３１をネットワーク６０を介して顧客端末３１に送り、顧客３０に、例えば、座席のエリア（例えば‘右側’、‘左側’等）を選択させる。
すなわち、例えば、図９（ｆ）の画面例６（３０６）に示すような座席エリアを表示させ、顧客３０に予約する座席エリアを選択させる。
【００５０】
管理サーバ５１は、管理データベース５７の座席データ５７５を参照し、選択された座席エリアにある、当該上映日時の空席情報７３３から、予約可能な空席の座席を抽出し、当該座席番号のデータや座席エリアの情報を、例えば、図１０（ａ）の画面例７（３０７）に示すような画面データとして顧客端末３１に送り、顧客端末３１に表示させ、その内容で予約をするか否かを選択させる（ステップ１０７）。
【００５１】
顧客３０がその内容で予約を行なわない場合（ステップ１０７のＮｏ）は、ステップ１０６に戻り、再度、座席の予約処理を実行する。
顧客３０がその内容で予約を行う場合（ステップ１０７のＹｅｓ）は、管理サーバ５１は、予約番号７１１を入力させる画面（例えば、図１０（ｂ）の画面例８（３０８））を顧客端末３１に表示させ、顧客３０に予約番号７１１を入力させる（ステップ１０８）。
予約番号７１１は、例えば、顧客３０の電話番号等であり、顧客３０が劇場に入場するための入場券を、鑑賞する当日に劇場で発券する際に、顧客３０を特定するのに使用する。
【００５２】
管理サーバ５１は、次に、管理データベース５７の前売券データ５７１に、ステップ１０１〜１０８で決定した予約情報、すなわち、予約日時７０１、劇場ＩＤ７０３、上映日時７０５、スクリーンＩＤ７０７、座席番号７０９、予約番号７１１を格納する（ステップ１０９）。
これにより、後に入場券を発券する際に、前売券データ５７１から予約番号７１１を検索することにより、予約した座席番号７０９が抽出され、座席指定付きの入場券を発券することが可能になる。
【００５３】
最後に、管理データベース５７の前売券データ５７１の決済情報を‘０’にして（ステップ１１０）、処理を終了する。決定情報を‘０’にすることにより、当該座席予約付き前売券１が既に座席予約済みであることを示すことが可能である。
【００５４】
以上に説明した座席予約手段５３は、１枚の座席予約付き前売券１についての座席予約方法であったが、同時に複数枚の座席予約付き前売券１についての座席予約を行えるようにしてもよい。
その場合は、ステップ１０３で複数枚の座席予約付き前売券１についての前売券ＩＤ番号１３とＰＩＮコード１５を入力させるようにすればよい。
【００５５】
以上の処理により、顧客３０は、予め買っておいた座席予約付き前売券１について、鑑賞日の数日前に座席を予約することが可能になる。
図３（ｃ）に示したように、鑑賞当日には、顧客３０は、鑑賞する劇場４０に出向き、窓口４１の窓口端末４３または劇場端末４５によって、座席が指定された入場券３を発券する。
【００５６】
次に、管理サーバ５１の入場券発券手段５５について説明する。
図１１は、入場券発券手段５５の処理の流れを示すフローチャートである。
まず、窓口端末４３または劇場端末４５からのアクセスを受ける（ステップ２０１のＹｅｓ）。
【００５７】
管理サーバ５１は、次に、窓口端末４３または劇場端末４５に、予約番号７１１の入力を促す画面を表示させ、顧客３０に予約番号７１１を入力させる（ステップ２０２）。
管理サーバ５１は、顧客３０により入力された予約番号７１１をキーに管理データベース５７の前売券データ５７１を検索し、予約番号を照合する（ステップ２０３）。
前売券データ５７１に予約番号７１１が存在しない場合には（ステップ２０４のＮｏ）、予約番号７１１の再入力を促す画面を窓口端末４３または劇場端末４５に表示させ、顧客３０に再度予約番号７１１を入力させる（ステップ２１０）。再入力された予約番号７１１が前売券データ５７１に存在しない場合（ステップ２１１のＮｏ）には、顧客３０を特定できないと判断し、入場券を発券せずに処理を終了する。
【００５８】
ステップ２０４およびステップ２１１で予約番号７１１が管理データベース５７の前売券データ５７１に存在した場合には（ステップ２０４またはステップ２１１のＹｅｓ）、予約番号７１１に対応する座席予約情報７０を前売券データ５７１から抽出し、窓口端末４３または劇場端末４５に表示させ、顧客３０に入場券を発券するか確認する（ステップ２０５）。
発券を選択した場合（ステップ２０６のＹｅｓ）は、座席指定された入場券３を発券し、処理を終了する（ステップ２０７）。発券を選択しない場合（ステップ２０６のＮｏ）は、そのまま処理を終了する。
【００５９】
以上のように、入場券発券手段５５により、座席予約手段５３により予め予約しておいた座席が指定された入場券３を顧客３０は得ることが可能になる。
【００６０】
尚、本発明は、前述した実施の形態に限定されるものではなく、種々の改変が可能であり、それらも、本発明の技術範囲に含まれる。
【図面の簡単な説明】
【００６１】
【図１】本実施の形態の座席予約付き前売券１の構成例を示す図
【図２】座席予約付き前売券１を説明する図
【図３】座席予約発券システム１００のシステム構成例を示す図
【図４】管理サーバ５１、端末３１、４３、４５のハードウエア構成図
【図５】前売券データ５７１の構成を示す図
【図６】上映データ５７３の構成を示す図
【図７】座席データ５７５の構成を示す図
【図８】座席予約手段５３の処理の流れを示すフローチャート
【図９】座席予約手段５３の画面例を示す図
【図１０】座席予約手段５３の画面例を示す図
【図１１】入場券発券手段５５の処理の流れを示すフローチャート
【図１２】従来の劇場前売券９０の説明図
【図１３】従来の鑑賞券の内容を説明する図
【符号の説明】
【００６２】
１………座席予約付き前売券
３………入場券
１３………前売券ＩＤ番号
１５………スクラッチ（ＰＩＮコード）
３１………顧客端末
４３………窓口端末
４５………劇場端末
５１………管理サーバ
５３………座席予約手段
５５………入場券発券手段
５７………管理データベース
１００………座席予約発券システム
５７１………前売券データ
５７３………上映データ
５７５………座席データ
【図１】
2010152461.tif 000003
【図２】
2010152461.tif 000004
【図３】
2010152461.tif 000005
【図４】
2010152461.tif 000006
【図５】
2010152461.tif 000007
【図６】
2010152461.tif 000008
【図７】
2010152461.tif 000009
【図８】
2010152461.tif 000010
【図９】
2010152461.tif 000011
【図１０】
2010152461.tif 000012
【図１１】
2010152461.tif 000013
【図１２】
2010152461.tif 000014
【図１３】
2010152461.tif 000015